(57)【要約】【課題】  エッジライトタイプのバックライト装置等に使用され導光板の出射面からの光の出射量を増大させる。【解決手段】  光源Ｄから照射される光Ｌの進行方向に配置される照射空間２と、照射空間２を介して相対して設けられた導光板１とを備えている。導光板１の照射空間２に対面する面には、プリズムアレイ状の凹凸部１２が設けられている。導光板１の凹凸部１２の谷部分１２ｂは、凹状の曲面形になっている。【選択図】        図１
2008288172.tif 000002
【特許請求の範囲】
【請求項１】
光源から照射される光の進行方向に配置される照射空間と、照射空間を介して相対して設けられた導光板とを備え、少なくとも光が出射される側の導光板の照射空間に対面する面にプリズムアレイ状の凹凸部が設けられた導光部材において、導光板の凹凸部の谷部分を凹状の曲面形にしたことを特徴とする導光部材。
【請求項２】
請求項１の導光部材において、導光板は凹凸部の山部分の角度が鋭角であることを特徴とする導光部材。
【請求項３】
請求項１または２の導光部材において、導光板は相対の両側に凹凸部が設けられ凹凸部の山部分，谷部分がそれぞれ相対されていることを特徴とする導光部材。
【請求項４】
請求項１〜２のいずれかの導光部材において、導光板は凹凸部の反対側面である出射面に曲面形の凸部が設けられていることを特徴とする導光部材。
【請求項５】
請求項４の導光部材において、導光板は凹凸部の山部分の中心線と凸部の中心線とが一致されていることを特徴とする導光部材。
【請求項６】
請求項１〜５の何れかの導光部材において、相対する両導光板が同一構造の成形品で接合されて一体化されていることを特徴とする導光部材。
【発明の詳細な説明】
【技術分野】
【０００１】
本発明は、エッジライトタイプのバックライト装置等に使用され光源から照射された光を照射方向と直交する方向に面状に出射する導光部材に係る技術分野に属する。
【背景技術】
【０００２】
最近、コンピュータの液晶表示装置や広告装置にエッジライトタイプのバックライト装置が多用されるようになってきている。このエッジライトタイプのバックライト装置では、光源から照射された光を減衰することなく面状の全域に均等に出射する導光部材が必要とされている。
【０００３】
従来、導光部としては、例えば、以下に記載のものが知られている。
【特許文献１】特開平６−１７４９２９号公報  特許文献１には、光源から照射される光の進行方向に配置される照射空間と、照射空間を介して相対して設けられた導光板とを備え、少なくとも光が出射される側の導光板の照射空間に対面する面にプリズムアレイ状の凹凸部が設けられた導光部材が記載されている。
【０００４】
特許文献１に係る導光部材は、光源から照射された光を照射空間の内部に進行させて光の減衰を低減し、照射空間の内部を進行する光を導光板の凹凸部で屈折させて凹凸部の反対側面となる出射面に出射させることで、光源から照射された光を減衰することなく面状の全域に均等に出射することを指向している。
【発明の開示】
【発明が解決しようとする課題】
【０００５】
特許文献１に係るシステムでは、照射空間の内部を進行する光が導光板の凹凸部で屈折されて、一部が導光板（凹凸部）の内部を透過して出射面に出射されるものの、他の一部が導光板の凹凸部から出射して隣接する凹凸部で反射されてしまうため、導光板の出射面からの光の出射量がかなり削減されてしまうという問題点がある。
【０００６】
本発明は、このような問題点を考慮してなされたもので、導光板の出射面からの光の出射量を増大することのできる導光部材を提供することを課題とする。
【課題を解決するための手段】
【０００７】
前述の課題を解決するため、本発明に係る導光部材は、特許請求の範囲の各請求項に記載の手段を採用する。
【０００８】
即ち、請求項１では、光源から照射される光の進行方向に配置される照射空間と、照射空間を介して相対して設けられた導光板とを備え、少なくとも光が出射される側の導光板の照射空間に対面する面にプリズムアレイ状の凹凸部が設けられた導光部材において、導光板の凹凸部の谷部分を凹状の曲面形にしたことを特徴とする。
【０００９】
この手段では、導光板の凹凸部の凹状の曲面形の谷部分が導光板の凹凸部から出射した光を凹レンズのように集光して導光板の内部を通過させて出射面から出射させる。
【００１０】
また、請求項２では、請求項１の導光部材において、導光板は凹凸部の山部分の角度が鋭角であることを特徴とする。
【００１１】
この手段では、導光板の凹凸部の山部分の鋭角の角度から光を出射面側に有効に屈折させる。
【００１２】
即ち、請求項３では、請求項１または２の導光部材において、導光板は相対の両側に凹凸部が設けられに凹凸部の山部分，谷部分がそれぞれ相対されていることを特徴とする。
【００１３】
この手段では、いわゆる両面発光タイプが構成され、導光板の凹凸部の山部分，谷部分がそれぞれ相対されて両面での発光の互いの干渉が防止される。
【００１４】
また、請求項４では、請求項１〜２のいずれかの導光部材において、導光板は凹凸部の反対側面である出射面に曲面形の凸部が設けられていることを特徴とする。
【００１５】
この手段では、導光板の出射面で凸部が凸レンズのように光の出射を拡散する。
【００１６】
また、請求項５では、請求項４の導光部材において、導光板は凹凸部の山部分の中心線と凸部の中心線とが一致されていることを特徴とする。
【００１７】
この手段では、導光板の凹凸部，凸部の位置関係から凹凸部の谷部分で集光された光が有効に凸部に出射される。
【００１８】
また、請求項６では、請求項１〜５の何れかの導光部材において、相対する両導光板が同一構造の成形品で接合されて一体化されていることを特徴とする。
【００１９】
この手段では、共通部品の組合わせで製品が完成される。
【発明の効果】
【００２０】
本発明に係る導光部材は、導光板の凹凸部の凹状の曲面形の谷部分が導光板の凹凸部から出射した光を凹レンズのように集光して導光板の内部を通過させて出射面から出射させ、導光板の出射面からの光の出射量の削減を防止することができるため、導光板の出射面からの光の出射量を増大することのできる効果がある。
【発明を実施するための最良の形態】
【００２１】
以下、本発明に係る導光部材を実施するための最良の形態を図面に基づいて説明する。
【００２２】
図１，図２は、本発明に係る導光部材を実施するための最良の形態の第１例を示すものである。
【００２３】
第１例では、表裏両面に光を出射する両面発光タイプからなるものが示されている。
【００２４】
第１例は、２枚の導光板１の間に空隙である照射空間２を設けている。
【００２５】
導光板１は、光源Ｄから照射され照射空間２を進行する光Ｌを透過して出射させるもので、光透過性の良好な合成樹脂材（例えば、ポリカーボネート）で板形に形成されている。板形の本体部分である基部１１は、厚さａを薄くした薄性の板形に形成されている。基部１１の照射空間２に対面する面には、厚さ（突出長）ｂを厚くしたプリズムアレイ状の凹凸部１２が設けられている。凹凸部１２の山部分１２ａは、約３０度の角度θの鋭角に形成されている。凹凸部１２の谷部分１２ｂは、凹状の曲面形に形成されている。
【００２６】
２枚の導光板１は、凹凸部１２を互いに対面させて照射空間２を介して相対されている。両導光板１の凹凸部１２の山部分１２ａを通る中心線Ｙは、図２に示すように、光Ｌの進行方向と直交する方向に延びる共通の直線に位置されている。
【００２７】
照射空間２は、相対された両導光板１の間に形成された空隙がそのまま利用され、導光板１の長さ方向（凹凸部１２の連続方向）に光Ｌの進行路が確保されている。
【００２８】
この照射空間２は、図１に示すように、端部に光源Ｄが配置されて内部に光Ｌが照射される。光源Ｄとしては、発光ダイオード（ＬＥＤ）のような拡散せずに直進する指向性を有する光Ｌを照射するものが好適である。
【００２９】
第１例によると、光源Ｄから照射された光Ｌが空隙である照射空間２の内部を進行することになる。従って、光Ｌが透明樹脂材の内部を透過するのではないため、進行する光Ｌの衰が低減される。
【００３０】
そして、照射空間２の内部を進行して導光板１の凹凸部１２に照射された光Ｌは、凹凸部１２のプリズム機能によって屈折され、一部が基部１１の凹凸部１２とは反対側面となる出射面に出射される。導光板１の凹凸部１２のプリズム機能によって屈折された光Ｌの他の一部は、凹凸部１２から出射して隣接する凹凸部１２の谷部分１２ｂに照射される。導光板１の凹凸部１２の谷部分１２ｂに各方向から照射された光Ｌは、谷部分１２ｂの凹状の曲面形によって凹レンズのように集光されて出射面に出射される。従って、特許文献１に係る導光部材のような凹凸部１２での無用の反射が防止され、導光板１の出射面からの光Ｌの出射量の削減が回避される。
【００３１】
この結果、導光板１の出射面からの光Ｌの出射量が増大される。
【００３２】
なお、両導光板１が凹凸部１２の山部分１２ａを通る中心線Ｙを共通の直線に位置させているため、反対側の導光板１の凹凸部１２における光Ｌの濃淡が反映されて導光板１の出射面に縞模様等の陰影を形成することがない。
【００３３】
図３は、本発明に係る導光部材を実施するための最良の形態の第２例を示すものである。
【００３４】
第２例では、導光板１の基部１１の幅方向の端部に凹凸部１２側へ突出する縁部分１３が設けられている。
【００３５】
第２例によると、両導光板１の縁部分１３を当接させることで、照射空間２を正確に形成することができる。また、同一の成形品からなる導光板１の縁部分１３を接合して製品を完成させることができる。
【００３６】
この結果、製造が容易になって製造コストを低減することができる。
【００３７】
なお、導光板１の縁部分１３は、照射空間２の幅方向の閉塞部材として機能し光Ｌの無用の漏出を防止するとともに、導光板１の補強部分として機能し導光板１の剛性や両導光板１の組付強度を高めるのにも役立つ。
【００３８】
図４は、本発明に係る導光部材を実施するための最良の形態の第３例を示すものである。
【００３９】
第３例では、導光板１の出射面に曲面形の凸部１４が設けられている。導光板１の凹凸部１２の山部分１２ａの前述の中心線Ｙは、凸部１４の中心線と一致されている。
【００４０】
第３例によると、前述の中心線Ｙの配置から、導光板１の凹凸部１２の谷部分１２ｂで集光された光Ｌが基部１１を介して確実に凸部１４に屈折される。そして、導光板１の凸部１４に屈折された光Ｌは、凸部１４の曲面形によって凸レンズのように拡散されて出射される。
【００４１】
この結果、導光板１からの出射の際に光Ｌが分散され、導光板１の出射面における光Ｌの出射が均等化される。
【００４２】
図５は、本発明に係る導光部材を実施するための最良の形態の第４例を示すものである。
【００４３】
第４例では、前述の第３例の導光板１の凸部１４に微小な溝１５が設けられている。
【００４４】
第４例によると、導光板１からの出射の際に溝１５によって光Ｌがさらに分散，攪乱され、導光板１の出射面における光Ｌの出射がより均等化される。
【００４５】
図６は、本発明に係る導光部材を実施するための最良の形態の第５例を示すものである。
【００４６】
第５例では、前述の第３例の導光板１の凸部１４に微小な突起１６が設けられている。
【００４７】
第５例によると、導光板１からの出射の際に突起１６によって光Ｌがさらに分散，攪乱され、導光板１の出射面における光Ｌの出射がより均等化される。
【００４８】
図７は、本発明に係る導光部材を実施するための最良の形態の第６例を示すものである。
【００４９】
第６例では、前述の第１例の導光板１の１枚を光透過性のない反射機能を備えた平板な反射板とされている。
【００５０】
第６例によると、片面発光タイプが構成され、１枚の導光板１の出射面に集中的に光Ｌを出射させることができる。
【００５１】
以上、図示した各例の外に、導光板１，照射空間２を湾曲させたり湾曲がＳ字形に連続する構成とすることも可能である。
【産業上の利用可能性】
【００５２】
本発明に係る導光部材は、携帯機器の液晶表示部分のバックライトから屋外広告設備のバックライトまで、装置規模の小型，大型にかかわりなく適用することが可能である。
【図面の簡単な説明】
【００５３】
【図１】本発明に係る導光部材を実施するための最良の形態の第１例の斜視図である。
【図２】図１の要部の拡大縦断面図である。
【図３】本発明に係る導光部材を実施するための最良の形態の第２例の分解状態の斜視図である。
【図４】本発明に係る導光部材を実施するための最良の形態の第３例の要部の断面図である。
【図５】本発明に係る導光部材を実施するための最良の形態の第４例の要部の断面図である。
【図６】本発明に係る導光部材を実施するための最良の形態の第５例の要部の断面図である。
【図７】本発明に係る導光部材を実施するための最良の形態の第６例の斜視図である。
【符号の説明】
【００５４】
１            導光板
１２          凹凸部
１２ａ        山部分
１２ｂ        谷部分
１４          凸部（出射面）
２            照射空間
Ｄ            光源
Ｌ            光
Ｙ            中心線
【図１】
2008288172.tif 000003
【図２】
2008288172.tif 000004
【図３】
2008288172.tif 000005
【図４】
2008288172.tif 000006
【図５】
2008288172.tif 000007
【図６】
2008288172.tif 000008
【図７】
2008288172.tif 000009